(57)【要約】【課題】ジャックが側面に搭載された携帯端末において、薄型化を図る。【解決手段】互いに結合するように設けられた表面側筐体及び裏面側筐体と、それらの表面側筐体及び裏面側筐体の間に設けられたジャック５とを備え、ジャック５の挿入口Ｍが側面に配置された平板状の携帯端末であって、ジャック５は、挿入口Ｍから挿入されたプラグを収容してそのプラグと導通するための収容部３と、収容部３に収容されたプラグを把持する把持部４とを備え、収容部３は、裏面側筐体に近い側の全体が切り欠かれている。【選択図】図３
2014155212.tif 000002
【特許請求の範囲】
【請求項１】
互いに結合するように設けられた表面側筐体及び裏面側筐体と、
上記表面側筐体及び裏面側筐体の間に設けられたジャックとを備え、
上記ジャックの挿入口が側面に配置された平板状の携帯端末であって、
上記ジャックは、上記挿入口から挿入されたプラグを収容して該プラグと導通するための収容部と、該収容部に収容されたプラグを把持する把持部とを備え、
上記収容部は、上記裏面側筐体に近い側の全体が切り欠かれていることを特徴とする携帯端末。
【請求項２】
請求項１に記載された携帯端末において、
上記表面側筐体には、表示画面が設けられ、
上記裏面側筐体には、上記ジャックに重なるように切り欠き部が設けられていることを特徴とする携帯端末。
【請求項３】
請求項２に記載された携帯端末において、
上記裏面側筐体には、少なくとも上記切り欠き部を覆うようにカバー部材が設けられていることを特徴とする携帯端末。
【請求項４】
請求項３に記載された携帯端末において、
上記カバー部材には、上記収容部に収容されたプラグを支持する支持部が設けられていることを特徴とする携帯端末。
【発明の詳細な説明】
【技術分野】
【０００１】
本発明は、入出力用のジャックが側面に搭載された携帯端末に関するものである。
【背景技術】
【０００２】
携帯電話機などの携帯端末の側面には、例えば、イヤホンジャックなどの入出力用のジャックが搭載されている（例えば、特許文献１参照）。
【先行技術文献】
【特許文献】
【０００３】
【特許文献１】特開２０１０−１７７８８０号公報
【発明の概要】
【発明が解決しようとする課題】
【０００４】
ところで、携帯電話機などの携帯端末では、薄型化が強く要望されているので、その側面に、例えば、所定のサイズに規格化されたイヤホンジャックが搭載されていると、そのイヤホンジャックのサイズにより、端末本体の薄型化が困難になってしまう。
【０００５】
本発明は、かかる点に鑑みてなされたものであり、その目的とするところは、ジャックが側面に搭載された携帯端末において、薄型化を図ることにある。
【課題を解決するための手段】
【０００６】
上記目的を達成するために、本発明は、ジャックの収容部における裏面側筐体に近い側の全体を切り欠くようにしたものである。
【０００７】
具体的に本発明に係る携帯端末は、互いに結合するように設けられた表面側筐体及び裏面側筐体と、上記表面側筐体及び裏面側筐体の間に設けられたジャックとを備え、上記ジャックの挿入口が側面に配置された平板状の携帯端末であって、上記ジャックは、上記挿入口から挿入されたプラグを収容して該プラグと導通するための収容部と、該収容部に収容されたプラグを把持する把持部とを備え、上記収容部は、上記裏面側筐体に近い側の全体が切り欠かれていることを特徴とする。
【０００８】
上記の構成によれば、ジャックが携帯端末の側面に搭載された携帯端末において、ジャックの収容部における裏面側筐体に近い側が全体的に切り欠かれているので、一般的な筒状のジャックよりもジャックが薄型化される。ここで、ジャックは、プラグを把持する把持部を備えているので、ジャックにおいて、プラグの抜け落ちを防ぐのに必要な固定性能が確保される。これにより、ジャックの薄型化に起因して携帯端末も薄型化される。
【発明の効果】
【０００９】
本発明によれば、ジャックの収容部における裏面側筐体に近い側の全体が切り欠かれているので、ジャックが側面に搭載された携帯端末において、薄型化を図ることができる。
【図面の簡単な説明】
【００１０】
【図１】実施形態１に係る携帯端末を示す斜視図である。
【図２】携帯端末の端部を拡大して示す斜視図である。
【図３】携帯端末に搭載されたジャックを示す斜視図である。
【図４】ジャックにプラグを収容した状態を示す斜視図である。
【図５】図４に対応する平面図である。
【図６】図５のVI−VI線断面図である。
【図７】ジャックに収容されたプラグにかかる荷重の方向を示す斜視図である。
【図８】プラグに荷重がかかった際のジャックの把持部の様子を示す斜視図である。
【図９】プラグに荷重がかかった際にプラグが外れる様子を示す斜視図であり、（ａ）、（ｂ）（ｃ）及び（ｄ）が図中上、下、右及び左方向に荷重がかかった場合である。
【図１０】変形例に係るジャックにプラグを収容した状態を示す平面図であり、（ａ）が第１変形例で、（ｂ）が第２変形例である。
【図１１】実施形態２に係る携帯端末の端部を示す図２相当図である。
【図１２】実施形態２に係るジャック及びその周辺部を示す断面図である。
【発明を実施するための形態】
【００１１】
以下、本発明の実施形態を図面に基づいて詳細に説明する。なお、本発明は、以下の各実施形態に限定されるものではない。ここで、以下の各実施形態では、携帯端末として、スマートフォンと呼ばれる携帯電話機を例示する。
【００１２】
《発明の実施形態１》
図１は、本実施形態の携帯電話機１０を示す斜視図である。また、図２は、携帯電話機１０の端部を拡大して示す斜視図である。また、図３は、携帯電話機１０に搭載されたイヤホンジャック５を示す斜視図である。また、図４は、イヤホンジャック５を構成する収容部３にプラグ８を収容した状態を示す斜視図である。また、図５は、図４に対応する平面図である。また、図６は、図５のVI−VI線断面図である。
【００１３】
携帯電話機１０は、例えば、平面視で長方形状に設けられた樹脂製の表面側筐体１と、表面側筐体１に周端部で結合するように平面視で長方形状に設けられた樹脂製の裏面側筐体２と、表面側筐体１及び裏面側筐体２の間に設けられたイヤホンジャック５とを備えている。また、携帯電話機１０の一方の短辺に沿う側面には、イヤホンジャック５の挿入口Ｍが配置されている。ここで、挿入口Ｍに挿入されるプラグ８は、例えば、円筒状のつまみ部７と、つまみ部７の端部から突出するように設けられ、複数の極が配置された棒状の端子部６とを備えている。なお、端子部６の直径は、例えば、小型ジャックに対応する３．５ｍｍであるが、その直径は、例えば、２．５ｍｍや８．３ｍｍなどであってもよい。
【００１４】
表面側筐体１には、表示画面Ｄが設けられ、その表示画面Ｄの端部には、端末を操作するキーＫが設けられている。また、裏面側筐体２には、イヤホンジャック５に重なるように切り欠き部Ｎが設けられている。また、裏面側筐体２の周端部は、例えば、曲面状に面取りされている。
【００１５】
イヤホンジャック５は、例えば、プラグ８の端子部６を収容して端子部６と導通するための樹脂製の収容部３と、収容部３に収容された端子部６を把持する樹脂製の把持部４とを備えている。ここで、収容部３は、端子部６を収容した状態で端子部６の側面が露出するように裏面側筐体２に近い側の全体が切り欠かれ、例えば、その横断面がＵ字状に形成されている。また、収容部３の内部には、端子部６の各極に対応するように複数の接点Ｃが設けられている。また、把持部４は、一対の係合爪を有し、係合爪の間で端子部６を把持するように設けられ、例えば、その横断面がＣ字状に形成されている。
【００１６】
ここで、図７は、イヤホンジャック５に収容されたプラグ８にかかる荷重の方向を示す斜視図である。また、図８は、その際のイヤホンジャック５の把持部４の様子を示す斜視図である。また、図９（ａ）〜図９（ｄ）は、その際のプラグ８が外れる様子をそれぞれ示す斜視図である。そして、図７に示すように、イヤホンジャック５に収容されたプラグ８のつまみ部７に横方向から荷重がかかると、把持部４は、図８に示すように、係合爪間の距離が広がると共に、図９（ａ）に示すように、図中上方向に荷重がかかった場合、端子部６の先端を支点に回転し、図９（ｂ）、図９（ｃ）及び図９（ｄ）に示すように、図中下方向、右方向及び左方向に荷重がかかった場合、端子部６のつまみ部７側を支点に回転して、イヤホンジャック５からプラグ８がそれぞれ外れることになる。
【００１７】
以上説明したように、本実施形態の携帯電話機１０によれば、その側面にイヤホンジャック５が搭載され、イヤホンジャック５の収容部３における裏面側筐体２に近い側が全体的に切り欠かれているので、一般的な筒状のイヤホンジャックよりもイヤホンジャック５を薄型化することができる。ここで、イヤホンジャック５は、プラグ８を把持する把持部４を備えているので、イヤホンジャック５において、プラグ８の抜け落ちを防ぐのに必要な固定性能を確保することができる。これにより、イヤホンジャック５の薄型化に起因して携帯電話機１０の薄型化を図ることができる。また、イヤホンジャック５の薄型化により、裏面側筐体２の周端部の曲面の曲率半径を大きくすることができる。
【００１８】
また、裏面側筐体２には、イヤホンジャック５に重なるように切り欠き部Ｎが設けられているので、端子部６の径方向に沿う端部を切り欠き部Ｎ内に配置させることにより、携帯電話機１０をいっそう薄型化することができる。さらに、この切り欠き部Ｎの配置により、イヤホンピアスなどの装飾品の設計自由度が向上し、また、イヤホンジャック５にデジタル放送用の補助アンテナを装着する場合には、そのアンテナの可動域が広がり、また、イヤホンジャック５内に溜まった埃などを容易に除去することができる。なお、イヤホンジャック５に接続するためのフレキシブル基板の周囲に防水用のグロメットなどを用いることにより、携帯電話機１０に防水構造を付与することもできる。
【００１９】
また、プラグ８に横方向からの荷重によりイヤホンジャック５からプラグ８が外れるので、プラグ８によるこじりやプラグ８を装着した状態での落下などに起因する表面側筐体１及び裏面側筐体２の破壊が抑制され、表面側筐体１及び裏面側筐体２におけるホルダーやビスなどによる補強が不要になる。
【００２０】
なお、本実施形態のイヤホンジャック５は、以下のような構成であってもよい。ここで、図１０（ａ）及び図１０（ｂ）は、本実施形態の第１及び第２変形例のイヤホンジャック２５及び３５にプラグ８を収容した状態をそれぞれ示す平面図である。そして、イヤホンジャック２５は、上述した収容部３に相当する収容部２３と、上述した把持部４に相当し、端子部６の長さ方向に沿う中央の部分を把持する把持部２４とを備えている。また、イヤホンジャック３５は、同じく収容部３に相当する収容部３３と、同じく把持部４に相当し、端子部６における先端の部分を把持する把持部３４とを備えている。
【００２１】
《発明の実施形態２》
図１１は、本実施形態の携帯電話機２０の端部を示す図２相当図である。また、図１２は、携帯電話機２０に搭載されたイヤホンジャック５及びその周辺部を示す断面図である。なお、以下の実施形態において、図１〜図１０と同じ部分については同じ符号を付して、その詳細な説明を省略する。
【００２２】
携帯電話機２０は、上記実施形態１の携帯電話機１０の裏面側筐体２において、少なくとも切り欠き部Ｎを覆うようにカバー部材１２が設けられた構成になっている。ここで、カバー部材１２の裏面には、端子部６を支持する支持部１３が設けられている。
【００２３】
本実施形態の携帯電話機２０によれば、上記実施形態1と同様に、携帯電話機２０の薄型化が図られ、裏面側筐体２の表面をほぼ覆うカバー部材１２により、イヤホンジャック５が視認され難いので、外観を損なわなくすることができる。また、カバー部材１２に支持部１３が設けられているので、装着したプラグ８をより確実に固定することができる。
【００２４】
なお、上記各実施形態では、携帯端末として、スマートフォンと呼ばれる携帯電話機を例示したが、本発明は、例えば、スマートフォン以外の携帯電話機、ＰＨＳ（Personal Handy-phone System ）、ＰＤＡ(Personal Digital Assistant)、電子書籍端末、パソコン、モバイルツール、電子辞書、電卓、ゲーム機、オーディオプレーヤーなどにも適用することができる。また、上記各実施形態では、把持部及び収容部が一体に形成されたイヤホンジャックを例示したが、把持部は、例えば、表面側筐体又は裏面側筐体の一部で形成されていてもよい。また、上記各実施形態では、樹脂製の把持部を例示したが、把持部は、例えば、接点として機能する板金などにより形成されていてもよい。
【産業上の利用可能性】
【００２５】
以上説明したように、本発明は、携帯電話機を薄型化することができるので、入出力用のジャックが側面に搭載された携帯端末全般について有用である。
【符号の説明】
【００２６】
Ｄ    表示画面
Ｍ    挿入口
Ｎ    切り欠き部
１    表面側筐体
２    裏面側筐体
３，２３，３３    収容部
４，２４，３４    把持部
５，２５，３５    イヤホンジャック
８    プラグ
１０，２０        携帯電話機（携帯端末）
１２    カバー部材
１３    支持部
【図１】
2014155212.tif 000003
【図２】
2014155212.tif 000004
【図３】
2014155212.tif 000005
【図４】
2014155212.tif 000006
【図５】
2014155212.tif 000007
【図６】
2014155212.tif 000008
【図７】
2014155212.tif 000009
【図８】
2014155212.tif 000010
【図９】
2014155212.tif 000011
【図１０】
2014155212.tif 000012
【図１１】
2014155212.tif 000013
【図１２】
2014155212.tif 000014